(57)【特許請求の範囲】
【請求項１】
異なる通信規格に変換可能な携帯電話装置であって、
携帯電話本体のマザーボード回路と、
携帯電話のSIMカードをパッケージに集積し、異なる通信規格に対応するモジュール化した無線処理モジュールとを備え、
前記携帯電話本体のマザーボード回路には、所定のインタフェースのスロットが設けられ、異なる通信規格に対応する前記モジュール化した無線処理モジュールには、所定のインタフェースのプラグピンが設けられ、
ある通信規格を使用すると、前記通信規格に対応するモジュール化した無線処理モジュールのプラグピンが前記携帯電話本体のマザーボード回路のスロットに挿着され、前記マザーボード回路が前記所定のインタフェースを介して前記モジュール化した無線処理モジュールと相互交信し、通信規格を変換すると、前記携帯電話本体のマザーボード回路の所定のインタフェースのスロットに、他の通信規格に対応するモジュール化した無線処理モジュールに変換してそれを挿着し、
ここで、前記所定のインタフェースは、これらに限定されないが、Mini PCI Eと、USBと、基板対基板のインタフェースと、SDIOと、PCIと、CFとを含み、整線され、標準または非標準インタフェースを介して有線または無線で接続され、
前記携帯電話装置は、これらに限定されないが、ARMアーキテクチャに基づく携帯電話装置、または、X86アーキテクチャに基づくノートパソコン携帯電話装置、または、他のプラットフォームアーキテクチャに基づく携帯電話装置を含み、
前記無線処理モジュールは、これらに限定されないが、マシンとカードとを一体化する無線処理モジュールと、マシンとカードとを分離させる無線処理モジュールとを含み、
また、前記無線処理モジュールは、これらに限定されないが、GSM(登録商標)と、CDMA2000 1Xと、WCDMAと、WCDMAHSPAと、CDMA1X EVDOと、TD-SCDMAと、WiMaxと、LTEとを含む通信規格を使用する、
ことを特徴とする携帯電話装置。
【請求項２】
異なる通信規格に変換可能な携帯電話装置であって、
携帯電話本体のマザーボード回路と、異なる通信規格に対応するモジュール化した無線処理モジュールとを備え、
前記携帯電話本体のマザーボード回路には、所定のインタフェースのスロットが設けられ、異なる通信規格に対応する前記モジュール化した無線処理モジュールには、所定のインタフェースのプラグピンが設けられ、
ある通信規格を使用すると、前記通信規格に対応するモジュール化した無線処理モジュールのプラグピンが前記携帯電話本体のマザーボード回路のスロットに挿着され、前記マザーボード回路が前記所定のインタフェースを介して前記モジュール化した無線処理モジュールと相互交信し、通信規格を変換すると、前記携帯電話本体のマザーボード回路の所定のインタフェースのスロットに、他の通信規格に対応するモジュール化した無線処理モジュールに変換してそれを挿着し、
ここで、前記所定のインタフェースは、これらに限定されないが、Mini PCI Eと、USBと、基板対基板のインタフェースと、SDIOと、PCIと、CFとを含み、整線され、標準または非標準インタフェースを介して有線または無線で接続され、
前記携帯電話装置は、これらに限定されないが、ARMアーキテクチャに基づく携帯電話装置、または、X86アーキテクチャに基づくノートパソコン携帯電話装置、または、他のプラットフォームアーキテクチャに基づく携帯電話装置を含み、
前記無線処理モジュールは、これらに限定されないが、マシンとカードとを一体化する無線処理モジュールと、マシンとカードとを分離させる無線処理モジュールとを含み、
また、前記無線処理モジュールは、これらに限定されないが、GSM(登録商標)と、CDMA2000 1Xと、WCDMAと、WCDMA HSPAと、CDMA1X EVDOと、TD-SCDMAと、WiMaxと、LTEとを含む通信規格を使用する、
ことを特徴とする携帯電話装置。
【請求項３】
携帯電話における異なる通信規格に変換可能な実現方法であって、
携帯電話における異なる通信規格の無線処理部を異なる通信規格の無線処理モジュールにモジュール化し、
前記携帯電話本体のマザーボード回路に所定のインタフェースのスロットが設けられ、異なる通信規格におけるモジュール化した無線処理モジュールに前記所定のインタフェースのプラグピンが設けられ、
ある通信規格を使用すると、前記通信規格に対応するモジュール化した無線処理モジュールのプラグピンが前記携帯電話本体のマザーボード回路のスロットに挿着され、前記マザーボード回路が前記所定のインタフェースを介して前記モジュール化した無線処理モジュールと相互交信し、通信規格を変換すると、前記携帯電話本体のマザーボード回路の所定のインタフェースのスロットに、他の通信規格に対応するモジュール化した無線処理モジュールに変換してそれを挿着し、
ここで、異なる通信規格に対応するモジュール化した無線処理モジュールと、携帯電話のSIMカードをパッケージに集積し、
前記無線処理モジュールは、これらに限定されないが、GSM(登録商標)と、CDMA2000 1Xと、WCDMAと、WCDMA HSPAと、CDMA1X EVDOと、TD-SCDMAと、WiMaxと、LTEとを含む通信規格を使用し、
前記無線処理モジュールは、これらに限定されないが、マシンとカードとを一体化する無線処理モジュールと、マシンとカードとを分離させる無線処理モジュールとを含む、
ことを特徴とする携帯電話における異なる通信規格に変換可能な実現方法。
【発明の詳細な説明】
【技術分野】
【０００１】
本発明は、通信技術領域に関し、特に異なる通信規格に変換可能な携帯電話装置およびその実現方法に係わる。
【背景技術】
【０００２】
通信技術の発展に伴い、携帯電話のサイズがだんだん縮小されるとともに、その利用が非常に普及しており、モバイルネットワークの急速な発展に伴い、モバイル通信用グローバルシステム（Global System For Mobile Communication、GSM(登録商標)）、符号分割多重接続（Code Division Multiple Access、CDMA）、CDMA2000、CDMA2000 1Xの２Gネットワークから、広帯域符号分割多重接続WCDMA、広帯域符号分割多元接続高速パケット伝送方式WCDMA HSPA、CDMA1X EVDO、CDMA1X EVDV、TD-SCDMA、PHS、WiMaxの３Gネットワークおよび次世帯の４G LTEへ移行する。多くの携帯電話はクローズドアーキテクチャで設計されており、これにより、一台の携帯電話が１つの通信規格しか対応できなく、消費者は携帯電話を購入する時に、唯一の通信規格に対応する携帯電話しか選べなく、他の通信規格に変換したくなると携帯電話を変更するまたは２台の携帯電話を同時に持つ必要があり、さらにもう一台の携帯電話の費用を負担しなければならず、例えば、消費者がCDMA方式からGSM(登録商標)方式に移行して使用する場合では、携帯電話の変更により通信規格の変換を実現し、一台のGSM(登録商標)携帯電話に関する費用を負担する以外に、元のCDMA携帯電話を再利用できないなら電子ゴミとして捨てられ、グローバルにおける携帯電話の消費者が通信規格を変換する時に一台の携帯電話を捨てるなら、膨大な量の電子ゴミが発生し、大量の地球資源を浪費すると同時に環境に対して影響を与える。
【０００３】
現段階、業界では、例えば、現在のデュアルネットワークのデュアルスタンバイ、C+G(CDMA+GSM(登録商標))、P+G(PHS+GSM(登録商標))、T+G(TDSCDMA+GSM(登録商標))、P+C(PHS+CDMA)のデュアルモード携帯電話のような２つの通信規格に対応する携帯電話が開発され、クローズドアーキテクチャであるため、高額で、サイズが大きく、スタンバイ時間が短く、所定の２つの通信規格のみに対応し、国際ローミングの時に、グローバルにおける多様な通信規格、例えば、中国のGSM(登録商標)、CDMA2000 1X、WCDMA、CDMA1X EVDO、TD-SCDMA方式、日本と韓国のPHS、WCDMA、CDMA1X EVDO方式、欧州のGSM(登録商標)、WCDMA、HSDPA方式、北米のCDMA2000 1X、CDMA1X EVDO、HSDPA方式、および今後の4G LTE方式で完全に動作できなく、グローバルにおける通信規格の多様性がさらに無制限に増大かつ拡大してあるため、これらのデュアルモード携帯電話には、完全な互換性または将来的なモバイルネットワークのアップグレードした規格との互換性がない。異なる携帯電話の製造メーカにより製造される一部機種の携帯電話は、一部の国に対して販売され、他の国に販売されると全体の回路を再び設計しなければならず、このような開発と設計コストが高額で、全ての製造者にとって容易に行えることではなく、そのため、グローバルにおける一部新機種の携帯電話の発売時期が遅れ、さらに、一部の国で発売することができなく、通常では、新機種の携帯電話にかかる研究開発費が携帯電話の販売価格の３０％〜５０％を占め、このような巨大な研究開発費が消費者に割り当てられており、携帯電話の製造コストが高くなり、全ての原因は世界各国の通信規格が異なり、互換性がないためである。
【発明の概要】
【発明が解決しようとする課題】
【０００４】
本発明が解決しようとする技術的課題は、異なる通信規格に変換可能な携帯電話装置およびその実現方法を提供することであり、これにより、利用者が異なる通信規格を簡単、便利且つ迅速に自己変換することができ、メーカに対する携帯電話の設計費用と利用者に対するネットワーク変換のコストを低減できる。
【課題を解決するための手段】
【０００５】
上記の課題を解決するため、本発明が提供する異なる通信規格に変換可能な無線端末装置は、
【０００６】
携帯電話本体のマザーボード回路と、異なる通信規格に対応するモジュール化した無線処理モジュールとを備え、前記異なる通信規格に対応するモジュール化した無線処理モジュールが携帯電話のSIMカードをパッケージに集積する。携帯電話本体のマザーボード回路には、所定のインタフェースのスロットが設けられ、異なる通信規格に対応するモジュール化した無線処理モジュールには、前記所定のインタフェースのプラグピンが設けられる。ある通信規格を使用すると、該通信規格に対応するモジュール化した無線処理モジュールのプラグピンが携帯電話本体のマザーボード回路のスロットに挿着され、マザーボード回路が前記所定のインタフェースを介して該モジュール化した無線処理モジュールと相互交信し、通信規格を変換すると、携帯電話本体のマザーボード回路における所定のインタフェースのスロットに、変換後の通信規格に対応するモジュール化した無線処理モジュールに変換して該モジュールを挿着する。
【０００７】
前記無線処理モジュールは、これらに限定されないがGSM(登録商標)と、CDMA2000 1Xと、WCDMAと、WCDMA HSPAと、CDMA1X EVDOと、TD-SCDMAと、WiMaxと、LTEとを含む通信規格を採用する。
【０００８】
前記所定のインタフェースは、これらに限定されないが、Mini PCI Eと、USBと、基板対基板のインタフェースと、SDIOと、PCIと、CFとを含み、整線され、標準または非標準インタフェースを介して有線または無線で接続される。
【０００９】
携帯電話装置は、これらに限定されないが、ARMアーキテクチャに基づく携帯電話装置、または、X86アーキテクチャに基づくノートパソコン携帯電話装置、または、他のプラットフォームアーキテクチャに基づく携帯電話装置を含む。
【００１０】
前記無線処理モジュールは、これらに限定されないが、マシンとカードとを一体化する無線処理モジュールと、マシンとカードとを分離させる無線処理モジュールとを含む。
他の異なる通信規格に変換可能な携帯電話装置は、
【００１１】
携帯電話本体のマザーボード回路と、異なる通信規格に対応するモジュール化した無線処理モジュールとを備える。携帯電話本体のマザーボード回路には、所定のインタフェースのスロットが設けられ、異なる通信規格に対応するモジュール化した無線処理モジュールには、前記所定のインタフェースのプラグピンが設けられる。ある通信規格を使用すると、該通信規格に対応するモジュール化した無線処理モジュールのプラグピンが携帯電話本体のマザーボード回路のスロットに挿着され、マザーボード回路が前記所定のインタフェースを介して該モジュール化した無線処理モジュールと相互交信し、通信規格を変換すると、携帯電話本体のマザーボード回路の所定のインタフェースのスロットに、変換後の通信規格に対応するモジュール化した無線処理モジュールに変換して該モジュールを挿着する。
【００１２】
前記無線処理モジュールは、これらに限定されないが、GSM(登録商標)と、CDMA2000 1Xと、WCDMAと、WCDMA HSPAと、CDMA1X EVDOと、TD-SCDMAと、WiMaxと、LTEとを含む通信規格を使用する。
【００１３】
前記所定のインタフェースは、これらに限定されないが、Mini PCI Eと、USBと、基板対基板のインタフェースと、SDIOと、PCIと、CFとを含み、整線され、標準または非標準インタフェースを介して有線または無線で接続される。
【００１４】
携帯電話装置は、これらに限定されないが、ARMアーキテクチャに基づく携帯電話装置、または、X86アーキテクチャに基づくノートパソコン携帯電話装置または他のプラットフォームアーキテクチャに基づく携帯電話装置を含む。
【００１５】
前記無線処理モジュールは、これらに限定されないが、マシンとカードとを一体化する無線処理モジュールと、マシンとカードとを分離させる無線処理モジュールとを含む。
異なる通信規格に変換可能な携帯電話の実現方法において、
携帯電話における異なる通信規格に対応した無線処理部を、異なる通信規格に対応した無線処理モジュールにモジュール化する。
【００１６】
携帯電話本体のマザーボード回路に所定のインタフェースのスロットが設けられ、異なる通信規格に対応するモジュール化した無線処理モジュールに前記所定のインタフェースのプラグピンが設けられる。
【００１７】
ある通信規格を使用すると、前記通信規格に対応するモジュール化した無線処理モジュールのプラグピンが前記携帯電話本体のマザーボード回路のスロットに挿着され、前記マザーボード回路が前記所定のインタフェースを介して前記モジュール化した無線処理モジュールと相互交信し、通信規格を変換すると、携帯電話本体のマザーボード回路の所定のインタフェースのスロットに、変換後の通信規格に対応するモジュール化した無線処理モジュールに変換して該モジュールを挿着する。
ここで異なる通信規格に対応するモジュール化した無線処理モジュールは、携帯電話のSIMカードをパッケージに集積する。
【００１８】
また、前記無線処理モジュールは、これらに限定されないが、GSM(登録商標)と、CDMA2000 1Xと、WCDMAと、WCDMA HSPAと、CDMA1X EVDOと、TD-SCDMAと、WiMaxと、LTEとを含む通信規格を使用する。前記無線処理モジュールは、これらに限定されないが、マシンとカードとを一体化する無線処理モジュールと、マシンとカードとを分離させる無線処理モジュールとを含む。
【００１９】
前記所定のインタフェースは、これらに限定されないが、Mini PCI Eと、USBと、基板対基板のインタフェースと、SDIOと、PCIと、CFとを含み、整線され、標準または非標準インタフェースを介して有線または無線で接続される。
既存の技術と比べ、本発明は以下の効果がある。
【００２０】
本発明は携帯電話本体のマザーボード回路と、異なる通信規格に対応するモジュール化した無線処理モジュールとを備える。携帯電話本体のマザーボード回路には、所定のインタフェースのスロットが設けられ、異なる通信規格に対応するモジュール化した無線処理モジュールには、前記所定のインタフェースのプラグピンが設けられる。ある通信規格を使用すると、該通信規格に対応するモジュール化した無線処理モジュールのプラグピンが携帯電話本体のマザーボード回路のスロットに挿着され、マザーボード回路が前記所定のインタフェースを介して該モジュール化した無線処理モジュールと相互交信し、通信規格を変換すると、携帯電話本体のマザーボード回路の所定のインタフェースのスロットに、変換後の通信規格に対応するモジュール化した無線処理モジュールに変換して該モジュールを挿着する。つまり、異なる通信規格を変換することにより、２Gまたは３Gおよび将来登場する４G LTE通信規格との互換性を実現し、グローバルにおける異なる周波数帯域を持つ通信規格を一台の携帯電話が自由に使用でき、携帯電話を変更せず、異なる無線通信規格モジュールを変換することだけで、ネットワークの変換目的を達成し、例えば、3.5G HSPDAまたはEVDO携帯電話の販売価格は３０００人民元以上であるが、3.5G  HSPDAまたはEVDOの無線モジュールのコストがおよそ３００人民元であり、つまり携帯電話全体の１０分の一のコストを占めるため、本発明により、従来ネットワークの変換と携帯電話の変更または海外で携帯電話の変更費用を大幅に抑えられ、全ての通信規格をサポートする機能を果たし、グローバルにおける異なる通信規格で自由にローミングができる。異なる無線通信規格の変換により、一台の携帯電話本体に保存されている電話帳、メッセージ、タスク管理、スケジュール管理など重要な各種情報資料を紛失することがなく、いずれの無線通信規格に変換する時にも元の携帯本体に保存されていた電話帳、メッセージ、タスク管理、スケジュール管理など重要な各種情報資料を使用でき、従来ネットワークの変換と携帯電話を変更する時に、旧携帯電話に保存された資料を新携帯電話に転送し難く、または、二台の携帯電話の間に資料の互換性がなく、手動で新携帯電話に編集する面倒を解決し、特に携帯電話に大量の資料を保存する利用者に対して上記のような問題に悩ませることがない。
【００２１】
本発明では携帯電話の研究開発手法を根本的に変更し、研究開発費と生産コストを極めて低減させる。本発明では、対応できる通信規格を理論的に無限に拡大するため、３G、４G、５G、６Gなどいずれも対応できる。本発明により、異なる規格の無線モジュールを変換することで、一台の携帯電話は異なる通信規格に対応して様々な通信規格との互換性を持ち、将来的なモバイルネットワークのアップグレードした規格にも対応し、このような設計を採用すると、１つの無線モジュールに多種の規格を実装し、利用者が自由に取り外して交換し、携帯電話メーカが一部機種の携帯電話を販売した後で多種の通信規格環境に適応できないため、世界同時に発売できないことまたはある国における通信規格との互換性がなくて販売できないことを解決し、携帯電話の研究開発手法を根本的に変更し、携帯電話の研究開発費を低減させ、生産量の増加によりモジュール化した携帯電話本体とモジュール化した無線モジュールを生産し、携帯電話本体と無線モジュールの生産コストを大幅に低減し、消費者に使用される携帯電話が低コストで、世界にも通用する。
【図面の簡単な説明】
【００２２】
【図１】図１は既存技術における携帯電話が一対一規格に対応することを示す図である。
【図２】図２は本発明に係わる異なる通信規格に変換可能な携帯電話の一実施形態を示す図である。
【図３】図３は本発明に係わる無線処理モジュールの一実施形態を示す図である。
【図４】図４はX86アーキテクチャを搭載した携帯電話機能付きのUMPCが本発明を応用する実施形態を示す図である。
【発明を実施するための形態】
【００２３】
本発明はx86アーキテクチャまたはARMまたは他のプラットフォームアーキテクチャに基づく携帯電話に応用され、異なる通信規格に変換可能な機能を有し、無線処理部を単独にモジュール化し、つまり、携帯電話における異なる通信規格に対応する無線処理部を異なる通信規格に対応する無線処理モジュールにモジュール化し、携帯電話本体と無線処理部とを分離させ、携帯電話本体のマザーボード回路に、所定のインタフェースのスロットが設けられ、例えば、携帯本体にセミオープンのインタフェースとスロットとを予め設置し、異なる通信規格に対応するモジュール化した無線処理モジュールに該所定のインタフェースのプラグピンを設置することにより、無線処理部を取り外して変換する目的を達成する。また、本発明の前記無線処理モジュールは、これらに限定されないが、マシンとカードとを一体化する無線処理モジュールと、マシンとカードとを分離させるなどの形式の無線処理モジュールとを含む。
【００２４】
ある通信規格を使用すると、該通信規格に対応するモジュール化した無線処理モジュールのプラグピンが携帯電話本体のマザーボード回路のスロットに挿着され、マザーボード回路が所定のインタフェースを介して前記モジュール化した無線処理モジュールと相互交信し、通信規格を変換すると、携帯電話本体のマザーボード回路の所定のインタフェースのスロットに、変換後の通信規格に対応するモジュール化した無線処理モジュールに変換してそれを挿着する。
【００２５】
前記無線処理部において、モジュール化をサポートする通信規格は、これらに限定されないが、グローバルモバイル通信/符号分割多重接続、GPRS、EDGE、WAN(WCDMA、TD-SCDMA、CDMA EVDO、CDMA EVDV、HSDPA、HSUPA、HSPA Plus、WiMAXを含み、前記本体に予め設置されるセミオープンのスロットの所定のインタフェースは、これらに限定されないが、Mini PCI E、USB、基板対基板のインタフェース、SDIO、PCI、CFを含み、整線され、標準または非標準インタフェースなどを介して有線または無線で携帯電話本体のマザーボードと接続している。
【００２６】
図１は、既存技術における携帯電話が一対一規格に対応することを示す図である。任意の規格に対して、一台の携帯電話は、通信規格の差異（例えば、GSM(登録商標)とCDMAとの間の通信規格差異）を超えられず、１つの規格のみに対応し、一台の携帯電話では全ての規格を互換できるのがほぼ不可能である。さらに、一台の携帯電話に複数の通信規格を内蔵すると、サイズが非常に大きくなり、外観上で携帯電話とする携帯性の要件を満たさなく、回路の実現にも更に困難であり、無線送受信回路を集積して電磁的干渉問題が避けられなく、回路基板に関する設計が極めて複雑になり、一般の利用者がそれほど多くの通信規格を使用しないため、全ての通信規格を実装することは実用的な意味がない。
【００２７】
図２は、本発明に係わる異なる通信規格に変換可能な携帯電話の実施形態を示す図である。本実施形態では、携帯電話の無線処理部がマザーボード回路から、携帯電話の機器本体と、分離される無線処理部の拡張ユニットとの２つ部分に分離される。無線処理部が分離されるため、携帯本体のマザーボードに無線処理モジュールと接続するインタフェースを予め設置し、該インタフェースは標準または非標準プロトコルインターフェースであり、無線処理部は単独にモジュール化されてプラグピンを予め設置し、該プラグピンと携帯電話マザーボードのインタフェースとが必ず一致した標準通信プロトコルであり、つまり同じPIN数のインタフェースであり、携帯電話の機器本体の背部にオープンのスロットを予め設置することにより、異なる通信規格に対応するモジュールの挿着を容易にし、例えば、無線モジュールを示す図３に参照し、無線処理モジュールにはSIMまたはUSIMカードスロットがあり、モジュールには、帯電話の背部に予め設置されるセミオープンのスロット１におけるマザーボードのインタフェースに挿着するプラグピンが設けられ、モジュールのプラグピン２にはPIN３があり、該PIN数が携帯電話マザーボードに予め設置されるインタフェースのPIN数と同じであるとともに、同じ標準通信プロトコル規則を持つ。仮に該携帯電話を用いて欧州の3G WCDMA方式から北米のCDMA1X EVDO方式へ国際ローミングサービスを利用する時に、利用者は自分で携帯電話の背部に設置されているセミオープンのスロートから元の3G WCDMA無線ネットワークモジュールを取り外し、CDMA1X EVDO方式に対応するモジュールを挿着すると、携帯電話において、新たなモジュールが検出され、相応のドライバが自動的にインストールされ、その後、CDMA1X EVDO方式で通常に動作できる。上記のような設計方法を携帯電話に応用すると、対応の無線処理モジュールのみがあれば、グローバルにおける全てのモバイル通信規格に対応し、消費者が携帯電話の使用中に通信規格を変換する時に必ず携帯電話を変更しなければならないようなトラブルを解決し、通信規格の変換コストを低減し、専門家に頼らず、利用者が自分で取り外しを簡単に実現し、全ての通信規格との互換性を持つ正真正銘のマルチモードGSM(登録商標)携帯電話を実現する。
【００２８】
以下に添付図面を参照しながら、本実施形態について詳細に説明する。
図４は、異なる通信規格変換の設計方法により、X86アーキテクチャを搭載した携帯電話機能付きのUMPCへの応用を示す図である。
【００２９】
本実施形態は、X86アーキテクチャを搭載した携帯電話機能と4.8インチのタッチパネル付きのUMPCであり、Windows XP(登録商標)オペレーティングシステムで動作し、本体の背部にセミオープンのスロットとMini PCI Eインタフェースとを予め設置し、該本体には欧州規格のWCDMA-HSDPA 3G通信規格に対応するモジュールを予め設置する。中国電信により運営されるCDMA1X EVDO 3G通信規格で該本体を動作させるなら、該本体の背部に設置されるセミオープンスロットに挿着される元のWCDMA-HSDPAを取り外し、CDMA1X EVDOに対応する無線モジュールをMini PCI Eインタフェースのスロットに挿着し、電源オンにし、UMPCにはシステムを立ち上げ、新たなハードウェアデバイスを見つけ、CDMA1X EVDO無線モジュールに付属するドライバを自動的にインストールすると、該モジュールがCDMA1X EVDO方式で正常に動作する。同じように、異なる通信規格に対応する無線モジュールを変更するだけで該本体を他の通信規格において正常に動作でき、携帯電話がグローバルで異なる国家、異なる通信規格、異なる通信バンドのモバイルネットワークにおいても正常に動作できる。
【００３０】
上述は本発明の最適な実施形態であり、ここで指摘するべきは、当業者の普通の技術要員にとって、本発明の原理から離れない前提で、更に若干の改善と修飾をすることが可能であるが、その改善と修飾も本発明の保護範囲に属する。
【図１】
0005536201.tif 000002
【図２】
0005536201.tif 000003
【図３】
0005536201.tif 000004
【図４】
0005536201.tif 000005